(57)【要約】    【課題】壁面のコンセント面を被覆し、接合面を密着すると共にこのコンセント周面に嵌合できること。    【解決手段】前記コンセントの全面を覆う化粧板のような平板体と、該平板体の裏面側に突出し、壁面のコンセントの差込孔に差し込まれるための栓刃と、前記栓刃に接続し、この本体から引き出される導通コードとからなる平板状プラの構成である。このコンセントの表面が壁面から出っ張って配設される形状の場合において、前記コンセントの全面を覆い、その裏面に前記コンセント周縁に嵌り込む凹部を形成する平板体と、該平板体の裏面側に突出し、前記コンセントのコンセント孔に差し込まれるための栓刃と、前記栓刃に接続し、前記平板体から引き出される導通コードとからなる構成。【選択図】    図１
2004259694.tif 000002
【特許請求の範囲】
【請求項１】
壁面にほぼ埋設されているコンセントに装着されるプラグであって、
コンセントの全面を覆う平板体と、
該平板体の裏面側に突設し、前記コンセントのコンセント孔に差し込まれるための複数の栓刃と、
これらの栓刃に接続し、前記平板体から引き出される各導通コードと、を備え、前記平板体のコンセント側に前記栓刃が突設され、この栓刃に接続した導通コードが前記平板体の一面から延長して引き出されていることを特徴とする平板状プラグ。
【請求項２】
壁面にほぼ埋設されているコンセントに装着されるプラグであって、
壁面から出っ張っている形状の前記コンセントの全面を覆い、このコンセントの周面縁に嵌り込む凹部を裏面側に形成する平板体と、
該平板体の裏面側に突設し、前記コンセントのコンセント孔に差し込まれるための複数の栓刃と、
これらの栓刃に接続し、前記平板体から引き出される各導通コードと、
を備え、前記平板体のコンセント側に前記栓刃が突設され、この栓刃に接続した導通コードが前記平板体の一面から延長して引き出されていることを特徴とする平板状プラグ。
【請求項３】
壁面にほぼ埋設されているコンセントに装着されるプラグであって、
壁面から出っ張っている形状の前記コンセントの全面を覆うと共に内部に配線回路や保安装置が収納され、前記コンセントの周縁に嵌合する周縁凹部が形成されている平板体と、
該平板体の裏面側に突設され前記コンセントのコンセント孔に差し込まれるための正負一対の栓刃と、
これらの栓刃に接続し、前記平板体から引き出される各導通コードと、
を備えることを特徴とする平板状プラグ。
【請求項４】
前記平板体の内面側周縁に密接するの弾性部材が貼着されていることを特徴とする請求項１乃至請求項３に記載のいずれか１つの平板状プラグ。
【請求項５】
前記平板体が、表面が化粧板により形成されるか、または表面に装飾画が施されていることを特徴とする請求項１乃至請求項３に記載のいずれか１つの平板状プラグ。
【請求項６】
前記平板体は、この平板体及び内部に配置した複数の栓刃を前記コンセント側から離脱するための引き抜き部材が前記平板体表面側に一体的に設けられていることを特徴とする請求項１乃至請求項３記載のいずれか１つの平板状プラグ。
【請求項７】
前記平板体のコンセント側に突設し、正負一対の栓刃の他に前記コンセントのコンセント孔に挿入可能な非伝導性の差込刃を１個又は複数個設けられていることを特徴とする請求項１乃至請求項６記載のいずれか１つの平板状プラグ。
【請求項８】
前記平板体の側面から引き出される導通コードが、前記平板体の裏面及び上面を除くいずれかの面から引き出され、その導通コードが１本又は複数本設けられていることを特徴とする請求項１乃至請求項７のいずれか１つ記載の平板状プラグ。
【請求項９】
前記平板体のコンセント側に摺動自在の保持部材を配設し、この保持部材にコンセントのコンセント孔に差し込む正負一対の栓刃を埋設すると共にこの栓刃に接続して導通コードを引出し、この導通コードが前記平板体に摺動可能に嵌装されて引き出されており、前記保持部材が平板体内側で摺動溝間に配置され、前記栓刃の位置が調整できることを特徴とする請求項１乃至請求項８に記載のいずれか１つの平板状プラグ。
【請求項１０】
前記平板体の表面側には、装着時において照明される表示ランプが設けられていることを特徴とする請求項１乃至請求項９記載のいずれか１つの平板状プラグ。
【発明の詳細な説明】
【技術分野】
【０００１】
本発明は、壁面にほぼ埋設されているコンセントに装着されるプラグに係り、特に、前記コンセントの枠体に嵌合し、全面を被覆する平板状のものからなり、コードを有する平板状プラグに関する。
【背景技術】
【０００２】
通常の家屋内壁の壁面やコーナーには、図１７に示すようなコンセント１１が一般的に埋設されている。このコンセント１１は、壁面１２より少し出っ張った矩形状のものからなり、コンセント孔１３（平行に一対）が１つ又は複数個（図示のものは２個）設けられている。このコンセント孔１３には外部電線からの電気が導通されている。一方、家庭内で使用される各種の電気器具等を作動するにはこのコンセント孔１３に前記電気器具のコードのプラグを差し込んで電気器具の作動状態とするが、この電気器具が複数種類ある場合には個々の電気器具のプラグをコンセント孔に差し込んで使用することが通常行われ、一個のコンセント１１に２個に限らず２個以上のプラグが差し込まれている。
【０００３】
前記プラグの形状としては各種のものがあるが、例えば、図１６に示す一対の栓刃を有する角型ブロック状のプラグ１４の場合は、ブロック体１５の外側面に差込用のコンセント孔１６を複数形成すると共にこれらコンセント孔１６の受刃に電通する栓刃１７をコンセント１１に接触する面に設けるものからなる。この栓刃１７を図１７に示したコンセント１１の１つのコンセント孔１３に差し込むことにより、プラグ１４の各コンセント孔１６が前記電気器具のコードの差込用となる。このようにして複数の電気器具を壁面１２にある１つのコンセント孔１３に連結することができる。
【０００４】
しかしながら、以上の構造のプラグ１４は装着時において壁面１２の表面から数センチ出っ張った状態で装着されるので歩行等の邪魔になると共に美観上好ましくない。また、コンセント１１の表面積に較べてこのプラグ１４は小さく、プラグ１４の装着時において、空きコンセント孔１３が残り、壁面１２のコンセント１１がほぼ丸見えとなり、外観上も好ましくないと共にコンセント１１の不使用のコンセント孔１３に塵埃等が侵入しその機能を低下させる問題点がある。また、特に、コンセント孔１３にプラグを長期間差込状態のままでは栓刃に塵埃、綿埃が蓄積し、湿気により漏電の恐れや、出火原因にもなっていた。
【０００５】
一般に日本の家屋事情において、コンセント１１は図１７に示されるように比較的部屋のコーナーに配置されており、家具類を配置したときにコンセントが隠れてしまうことが多い。また、エアコン、冷蔵庫などの電気製品の場合は、これら電気製品のプラグをコンセントに差し込んだ状態のまま長期間放置されることが多いためコンセントとプラグとの隙間に塵埃・綿埃が蓄積され、漏電やショートなどの出火原因になっていた。
【０００６】
その他、コンセントに差込むプラグを有するコードは一般に電気器具側に連結されており、通常室内に配置するクーラーや壁面に取り付けた換気扇などの場合は部屋の壁面の上側に配設してあるコンセントに、これら電気器具のコード先端のプラグを差込んでいる。そのため壁面にコンセントが露出し、目視されやすく、美観上好ましいものではなかった。更に、このようなプラグをときには壁面１２側のコンセント１１から脱離する必要があるが、図１６に示すようなプラグ１４の場合はその挿入・離脱性が必ずしもよくない。更に、この種のプラグ１４の場合は内部に保安装置もなく、また、表示ランプ等も設けられていないのが普通である。
壁面に設けたコンセントの不使用時にコンセント孔を塞ぐ開閉自在の遮蔽カバーを設けたものが特許文献１として知られている。
また、小型の電子器具や家具用のプラグとして家具類に差込むための薄型プラグが知られている（特許文献２、特許文献３）。コンセントの表面に化粧板を使用するものがあるが、コンセント孔が露出したものである（特許文献４）。
【０００７】
【特許文献１】実公昭５７−４４６３１号公報第３図
【特許文献２】実開昭６１−６２３８９号公報第７図
【特許文献３】実開昭６３−１０２２８２号公報第１図
【特許文献４】実開平３−４５０２０号公報第３図
【発明の開示】
【発明が解決しようとする課題】
【０００８】
本発明は、以上の事情に鑑みて発明されたものであり、外観美に優れると共に挿着・脱離にも平易であり、壁面側のコンセントに簡単に装着できる平板状プラグを開発した。前記特許文献１に記載のものはプラグを差込んだときも表面被覆する安全カバーであり、プラグではない。また特許文献２，３の発明は、薄型家具類に装着するプラグであって、一般的なプラグではない。
本発明の課題は、壁面のコンセント面を完全に被覆し、１つ又は複数のコンセントの差込孔を覆い、接合面を密着すると共にこのコンセントの出っ張り周面に嵌合できる平板状プラグを提供することである。
その他の本発明の課題は、美観に優れ、安全性に優れ、着脱に便利な平板状プラグを提供することである。
【０００９】
また、本発明の課題は、通常のコンセントの全体を被覆し、表面の平板体が絵柄を有する飾板またはキャラクター人形で装飾された平板状プラグを提供することである。
更に、内部に保全・保安装置を有し、表示ランプを有し、ほぼ任意の方面に引き出し可能なコードを一体的に設けた平板状プラグを提供することを課題とする。  
【課題を解決するための手段】
【００１０】
本発明は、以上の課題を達成するために、壁面にほぼ埋設されているコンセントに装着されるプラグであって、コンセントの全面を覆う平板体と、該平板体の裏面側に突設し、前記コンセントのコンセント孔に差し込まれるための複数の栓刃と、これらの栓刃に接続し、前記平板体から引き出される各導通コードと、を備え、前記平板体のコンセント側に前記栓刃が突設され、この栓刃に接続した導通コードが前記平板体の一面から延長して引き出されている平板状プラグの構成である。
【００１１】
また、前記課題は以下の構成で達成できる。
本発明の壁面から出っ張って配設される形状のコンセントの全面を覆い、このコンセントの周面縁に嵌り込む凹部を裏面側に形成する平板体と、該平板体の裏面側に突設し、前記コンセントのコンセント孔に差し込まれるための複数の栓刃と、これらの栓刃に接続し、前記平板体から引き出される各導通コードとを備え、前記平板体のコンセント側に前記栓刃が突き出され、これらの栓刃に接続した各導通コードが前記平板体の一面から延長して引き出されている平板状プラグの構成によって達成できる。
【００１２】
前記課題は、壁面にほぼ埋設されているコンセントに差し込み、装着されるプラグであって、前記壁面から出っ張っている形状のコンセントの全面を被覆すると共に内部に配線回路や保安装置を収納し、このコンセントの表面が嵌り込む凹部を裏面に形成する平板体と、該平板体の裏面側に突出して配設され前記コンセントに差し込まれるための正負一対の栓刃と、これらの栓刃に接続し、平板体から引き出される各導通コードとからなる平板状プラグの構成によって達成できる。
【００１３】
更に、前記平板体のコンセント側に摺動自在の保持部材を配設し、この保持部材にコンセントのコンセント孔に差し込む正負一対の栓刃を埋設すると共にこの栓刃に接続して導通コードを引出し、この導通コードが前記平板体に摺動可能に嵌装されて引き出されており、前記保持部材が平板体内側で摺動溝間に配置され、前記栓刃の位置が調整できることからなる平板状プラグの構成によって前記課題は達成できる。
【００１４】
また、本発明の平板状プラグは、前記導通コードが前記平板体の裏面及び上面を除くいずれかの面から引き出されている構成、目的に応じて導通コードの引き出し方向を選択でき、電気器具側との連結の容易化が図れる構成、前記保安装置が、過熱、過電流、過振動時において前記配線回路を遮断する構造の装置及びこれ等の場合において音や光を発する警報装置からなる構成により前記課題は達成できる。
【発明の効果】
【００１５】
本発明の平板状プラグによって壁面のコンセント全体は被覆されて壁面のコンセントが露出せず外観美の向上が図れる。また、導通コードを一体的に備えるため、このコードの先端にタップを配置してあれば電気器具のプラグを差し込み、電気器具等に連結することができる。また、電気器具の延長コードに直接平板状プラグを接続してあれば、使用しないときはこのプラグを取り外せばよく、電気器具まわりに配線がなくなり、配線束の残存による見苦しさがなくなる。また、保安装置の内蔵により、安全性の向上が図れる。
【００１６】
また、平板状プラグは、前記コンセントの表面が前記壁面から出っ張って配設される形状の場合、前記平板体がその裏面に前記コンセントに嵌り込む凹部を形成するから、壁面に埋設されたコンセントは本発明の平板状プラグの内側凹部の嵌り込みにより被覆されて壁面のコンセント孔が露出せず、コンセント孔への塵埃等の侵入もなくなり安全性の向上が図れる。
また、平板状プラグの前記平板体は、その表面側が化粧板または表面に絵柄を備えた平板体により形成されることを特徴とする。これにより、外観美の向上が図れる。
【００１７】
本発明の平板状プラグの前記化粧板は、前記壁面と同色及び同一模様のものからなることを特徴とし、化粧板を壁面と同一形態のものにすることにより全体が一体化し、コンセントやプラグの存在が消され一層の美観の向上が図れる。
更に、前記平板体は、この平板体と栓刃とを裏面側に接触するコンセント側から引き抜くための引き抜き部材がこの平板体の外表面側に一体的に設けられていることを特徴とし、この引き抜き部材を設けることにより平板状プラグの引き抜きが極めて容易に行われる。
【００１８】
本発明の平板状プラグは、前記引き抜き部材の下端側が前記平板体を貫通して前記コンセントの表面に当接する形状にしてあるから平板体はコンセント面への当接部を基点としてこれにより弾性変形し引き抜き方向の力が作用し平板体の引き抜きが極めて容易に行われる。平板体に設けた前記栓刃は、１個又は複数個設けられ、栓刃を複数個設けることにより複数個のコンセント孔を有するコンセントに平板状プラグを差し込むことができる。
【００１９】
その他、本発明の平板状プラグは、前記栓刃の他に設けた差込刃が複数個の場合において、その差込刃が電気を導通させないダミー用栓刃を備え、複数個のコンセント孔を有するコンセント側への装着を可能にし、かつプラグとしての機能を果すことができる。更に、正負一対の栓刃に接続する導通コードが、１本又は複数本設けてもよく、このような導通コードを複数本設けることにより、１つの平板状プラグから電気器具等への連結が同時に行われて便利である。
【００２０】
そのために保安装置により安全性の向上が図れると共に異常時の発見が容易に行われる。更に、前記平板体の表面側には、装着時において照明される表示ランプが設けられているから表示ランプによりプラグの装着状態の確認ができると共に、その存在がわかり、安全性の向上が図れる。
【発明を実施するための最良の形態】
【００２１】
以下、本発明の実施例を図面に基づき説明する。  
図１は、本発明の平板状プラグの全体構造を示す第１の実施形態の正面図（ａ）、下面図（ｂ）、側面図（ｃ）、図２は、本発明の平板状プラグを壁面側のコンセントに装着した状態を示す側面図（ａ）及び正面図（ｂ）、図３は、本発明の平板状プラグの壁面コンセントに装着した状態でこのコンセント側から引き抜く状態を示す模式的側面図、図４は、本発明平板状プラグの栓刃１個を備える第２の実施形態を示す側面図、図５は、本発明の平板状プラグの栓刃とダミー用差込刃を備え、導通コードを平板体の表面側から引き出す第３の実施形態を示す模式的側面図、図６は、本発明の平板状プラグの導通コードを平板体の側面から引き出す第４の実施形態の模式的正面図、図７は、本発明の平板状プラグに２本の導通コードが設けられた第５の実施形態を示す模式的正面図である。
【００２２】
図８は、本発明平板状プラグの第６の実施形態を示す斜視図、図９は、本発明平板状プラグが分割されている第７の実施形態を示す説明図、図１０は、第８の実施形態の斜視図、図１１は、図１０の分解斜視図、図１２〜図１５はその他の実施形態を示す説明図、図１６は従来一般に使用されているプラグを示す斜視図、図１７は、家屋の壁面に配設されるコンセントを示す模式的部分斜視図である。
【００２３】
本発明の平板状プラグについて実施例に基づき説明する。
図１（ａ），（ｂ），（ｃ）に示す第１の実施形態のように、平板状プラグ１は大別して平板体２と、この裏面側に突出して配設される栓刃３と、伝導性の線材を複数本内蔵する導通コードであるコード４と、を備え、更に、平板体２内に栓刃３やコード４に電通する配線回路及び保安装置５、表示灯等が収納されている。この平板体２の大きさは通常のコンセント１１枠に嵌めこむ大きさであり、１２〜１４ｃｍ×７〜８ｃｍ位である。
【００２４】
なお、平板体２の表面側には引き抜き部材である薄板６が設けられ、かつ表示ランプ７が設けられている。このコード４の末端には電気器具や通常のマルチタップが接続されている。
【００２５】
平板体２は、図示のような矩形状の適宜の厚みを有し、かつ周縁に丸みをつけた平板状のものからなり、例えば、プラスチック成型体からなる。なお、この平板体２の面積は、図１又は図１７に示したようなコンセント１１の全体を被包する大きさのものからなる。更に具体的には、図１（ｂ）に示すように、平板体２の裏面には凹部８が形成される。この凹部８は図１７に示したコンセント１１に嵌り込む輪郭形状を有するものからなり、凹部８の深さはコンセント１１の出っ張り量よりやや深いものからなる。よって平板状プラグ１をコンセント１１に嵌め込んだ状態で平板状プラグ１１を被包し、かつ平板体２の裏面は壁面１２に当接するものになる。この平板体の厚みは約１.０〜２.０ｃｍ前後であり、裏面側の凹部の深さは０.５〜１.０ｃｍである。
【００２６】
この平板体２の裏面には、コンセント１１の表面に密接する弾性部材であるスポンジ１８を配設して緩衝材として作用する。また、コンセント孔１３への塵埃の進入が防止できる。
【００２７】
また、平板体２の表面全体は色彩が施されて化粧板となることが好ましく、壁面と同色，同一模様にすることにより壁面１２との違和感がなくなり、美観の向上が図れる。また、コンセント１１が完全に被覆されるから、塵埃や綿埃などが蓄積を防止することができ、漏電を防止でき、安全である。この平板体２の表面にキャラクターの絵柄や風景画が描かれていると壁面の美観を呈する（図１３）。また、表面に人形を固着させても良い（図１４）。
【００２８】
栓刃３は図１７のコンセント孔１３に嵌り込み形状のものからなり、本実施の形態では対をなす栓刃３が２個の設けられているが、勿論これに限定するものではなく、一個でもよい。また、コード４は平板体２の下面から引き出される形態のものからなり、本実施の形態では一本の正負のコード４のみが記載されているが、この正負一対のコード４が２〜４本接続されていても良い。
薄板６は平板体２の表面側に当接して配設される平板部９とこの下端に平板部９と一体的に形成される支持部１０とからなり、支持部は平板体２に固持されるが、図示のように平板体２を貫通し、その裏面側まで伸延する形状のものからなるが、以上の構造のものに限定するものではない。
【００２９】
平板体２の内部には栓刃３やコード４及び表示ランプ７に電通する配線回路や保安装置５が収納されている。なお、保安装置としては、平板状プラグ１内を流れる電流が過電流になったとき、これによる過熱が発生した場合に配線回路を遮断する構造のものや、地震等の大きな振動発生時において配線回路を遮断するものが挙げられる。また、これ等の異常発生時において光や音による警報を発する警報装置が挙げられる。これ等は公知の技術であり、構造説明は省略する。更に、表示ランプ７は平板状プラグ１がコンセント１１に装着した場合に点灯する構造のものからなる。この表示灯７として豆電球を配置して、夜間照明に使用することもできる。この照明部分が半透明人形であったり、別途スイッチを配置しても良い。
【００３０】
更に、本発明の平板状プラグは、正負の対の栓刃の他にアース栓刃を配置してもよく、ヨーロッパ諸国におけるコンセントに適応する構造であってもよい。また、栓刃３の形状も薄板状であってもよいし、丸棒であってもよい。更に、栓刃３の配置としてコンセントの差込穴に対応するようにアルゼンチン国やオーストラリア国のようなハの字に配置されているものでもよい。
【００３１】
図２（ａ）は本発明の平板状プラグ１を壁面１２のコンセント１１に装着した状態を示す図である。また、図２（ｂ）は平板状プラグ１が壁面と同色及び同一模様であることを表示する模式図である。平板状プラグ１を図示のように装着することによりコード４が電通状態となり、図略の電気器具等へコード４を連結することにより、電気器具等を作動状態にすることができる。このような電気器具として冷蔵庫、エアコンなどがある。
【００３２】
図３（ａ）は，壁面１２のコンセント１１に装着された平板状プラグ１を引き抜く場合の動作を示すものである。前記のように薄板６の平板部９の上端を手前に引くことにより、支持部１０を基点として平板部９が壁面から離れ、平板体２側に引き抜き方向の力を与える。これにより平板状プラグ１をコンセント１１側から容易に引き抜くことができる。
また、図３（ｂ）に示されるものは、レバー２ａを引き起こしたとき、平板体２の内側に配置した起棒２ｂが回動して平板体２が平行に移動して壁面から離れる。従って、平板状プラグ１が引き抜きやすくなる。
図１乃至図３に示した平板状プラグ１は栓刃３を２個有するものであるが図４の平板状プラグ１ａは栓刃３を一本のみ有するものからなる。なお、図１乃至図３の栓刃３の場合においてもその１個の栓刃３を不電通のダミー用の栓刃３ａにする。
【００３３】
図４の第２の実施形態は、平板状プラグ１ａの栓刃３と同一機能のものからなり、安定してコンセント１１の表面に嵌められる。なお、図４の場合、コード４は平板体２の下面から引き出されて配設される。また、この平板体２にスイッチを配置することも可能である。
【００３４】
図５の平板状プラグ１ｂは栓刃３を２個配置したものであるが、コード４が平板体２の表面から引き出されている点に特徴を有する。その他の構造については前記のものとほぼ同様のものからなり、その詳細な説明は省略する。
【００３５】
図６に示す第４の実施形態の平板状プラグ１ｃは、コード４が平板体２の側面から引き出されている点に特徴を有するものである。また、図７の第５の実施形態の平板状プラグ１ｄはコード４が平板体２の下面から２本引き出されている点に特徴を有する。なお、栓刃３の数やコード４の数やその引き出し方向については、前記の内容に限定するものではなく、必要に応じて各種形態のものが使用される。
【００３６】
図８に示す第６の実施形態の平板状プラグは、平板体２に開閉自在の窓２ｃを配設したもので、窓２ｃを開いてコンセント１１を露出し、通常のプラグの栓刃を差し込めるようにしたものである。この窓の位置は何処にあっても良いが、上側に配置することもできる。
【００３７】
図９に示す第７の実施形態の平板状プラグは、平板体２の内面に窪み２ｄが形成してあり、コードを嵌合する溝２ｅが穿設してある。平板状の小さなプラグ２ｆが嵌合できるように形成したものである。すなわち、図１の状態で、栓刃を備えた薄板からなるプラグ部分が分離され、着脱自在に形成されているものである。
【００３８】
図１０に示す第８の実施形態の平板状プラグは、平板体２の内面側に両側にレール２ｇ（図１１参照）を配設し、このレール２ｇ間に摺動自在に保持部材１９を配置し、この保持部材９に栓刃３やアースピン等を固着する。壁面のコンセント１１の差込孔のどれか１つに差込可能である。全体のコンセント１１の周縁からコンセント孔１３までの位置に合わせて栓刃３の位置を摺動させて配置することができる。この実施形態では平板体２の裏面凹部の周縁近くにスポンジ１８が貼着してある。これによって外部からの塵埃や、湿気の侵入を防止することができる。
【００３９】
本発明の平板状プラグは、内部の配線回路部品とは別に、表面のみ模様などを備えた化粧板を着脱自在に嵌合するようにして、複数の絵柄を楽しむことができる。また、コンセントを備えた壁面と同一平面にプラグを配置して、表面に壁紙や化粧紙を貼ってコードのみが壁面から引き出すような形状にしてもよい。
【００４０】
図１０に示す実施形態は配線回路などを内蔵する保持部材１９を備えた平板状プラグ１で、この保持部材１９に栓刃３を固着してあり、この保持部材１９は平板体２の内側（裏面）に設けた案内レール２ｇ間で摺動するようになっている。これによって壁面に埋設されたコンセント１１のコンセント孔１３の位置に適合するように調整できる。この平板体２の内面には密接部材であるスポンジ１８が貼り付けてある。案内レール２ｇの摺動面に係止用突起２２が複数配置してある。１９ａは案内レール２ｇの係止用突起２２に係合する溝である。２３は平板体２を引き出すための手がかり凹部である。２１は裏面板である。
【００４１】
図１２に示す実施形態の平板状プラグ１は、壁面に埋設したコンセント１１にアース端子が配設されている場合、このアース端子が邪魔にならないように設計された実施形態である。栓刃３を固着した保持部材１９のコード４は平板体２の枠体内に配置してある。この内側の下方の空間２４はコンセント１１に設置されたアース端子のための空間２４である。このコード４に隣接してアース線２０を配置し、この先端がアース端子に螺着できるように二股端子になっている。
【００４２】
図１３〜図１４の実施形態は平板体２の表面に風景画の絵柄やキャラクターの絵が描かれたものである。
図１５の実施形態はコード４が２本引き出されている平板状プラグである。このコード４の先端に差込プラグが夫々接続してある。
【産業上の利用可能性】
【００４３】
本発明の平板状プラグによれば、家屋の壁面に設けられているコンセントを完全に被包することができ、表面を壁面と同色及び同一模様の化粧板にすることにより違和感がなくなり美観の向上が図れると共に、挿脱性がよく、安全性の向上が図れる。
また、家電製品のコードの先端に本発明平板状プラグを取り付けると、エアコン、冷蔵暖房器具、などの家庭電気器具を長期間コンセントに差し込んでも違和感なく、美観を呈することができるばかりでなく、コンセント孔への綿ほこりの堆積を防止でき、火災の発生を防止することができる。しかも、電気器具等のまわりの混線をなくすことができる。また、プラグ内に安全装置を内蔵することにより、表示ランプなどにより、安全性の確保が図れる
【図面の簡単な説明】
【００４４】
【図１】本発明の平板状プラグの全体構造を示す第１の実施形態の正面図（ａ）、下面図（ｂ）、側面図（ｃ）である。
【図２】本発明の平板状プラグを壁面側のコンセントに装着した状態を示す側面図（ａ）及び正面図（ｂ）である。
【図３】本発明の平板状プラグの壁面コンセントに装着した状態でこのコンセント側から引き抜く状態を示す模式的側面図である。
【図４】本発明平板状プラグの栓刃１個を備える第２の実施形態を示す側面図である。
【図５】本発明の平板状プラグの栓刃とダミ用差込刃を備え、コードを平板体の表面側から引き出す第３の実施形態を示す模式的側面図である。
【図６】本発明の平板状プラグのコードを平板体の側面から引き出す第４の実施形態の模式的正面図である。
【図７】本発明の平板状プラグから２本のコードを引き出す第５の実施形態を示す模式的正面図である。
【図８】本発明平板状プラグの第６の実施形態を示す斜視図である。
【図９】本発明平板状プラグが分割されている第７の実施形態を示す説明図である。
【図１０】第８の実施形態の斜視図である。
【図１１】図１０の分解斜視図である。
【図１２】その他の実施形態を示す説明図である。
【図１３】表面にキャラクタ図が描かれた平板状プラグの実施形態の斜視図である。
【図１４】表面に飛び出した人形が型造りされた平板状プラグの実施形態の斜視図である。
【図１５】差込プラグを２本備えた実施形態の斜視図である。
【図１６】従来一般に使用されているプラグを示す斜視図である。
【図１７】家屋の壁面に配設されるコンセントを示す模式的部分斜視図である。
【符号の説明】
【００４５】
１    平板状プラグ
１ａ  平板状プラグ
１ｂ  平板状プラグ
１ｃ  平板状プラグ
１ｄ  平板状プラグ
２    平板体
３    栓刃
４    コード
５    配線回路及び保安装置
６    薄板
７    表示ランプ
８    凹部
９    平板部
１０  支持部
１１  コンセント
１２  壁面
１３  コンセント孔
１４  プラグ（従来）
１５  ブロック体
１６  コンセント孔
１７  栓刃
１８  スポンジ
１９  保持部材
２０  アース線
【図１】
2004259694.tif 000003
【図２】
2004259694.tif 000004
【図３】
2004259694.tif 000005
【図４】
2004259694.tif 000006
【図５】
2004259694.tif 000007
【図６】
2004259694.tif 000008
【図７】
2004259694.tif 000009
【図８】
2004259694.tif 000010
【図９】
2004259694.tif 000011
【図１０】
2004259694.tif 000012
【図１１】
2004259694.tif 000013
【図１２】
2004259694.tif 000014
【図１３】
2004259694.tif 000015
【図１４】
2004259694.tif 000016
【図１５】
2004259694.tif 000017
【図１６】
2004259694.tif 000018
【図１７】
2004259694.tif 000019